(57)【要約】【課題】ハウジングに対するカード材の収納操作性及び取出操作性を簡単な構成で向上させることができる車両用インナミラー装置を得る。【解決手段】車両用インナミラー装置１０では、各回動蓋３２が収納口２４を閉鎖しており、各回動蓋３２は収納口２４を開放する方向へ回動可能とされると共に、各回動蓋３２には収納口２４を閉鎖する方向への付勢力が付与されている。このため、付勢力に抗して各回動蓋３２を回動させて収納口２４を開放させることで、ハウジング１２に対し収納口２４からカード２８を収納及び取り出し可能となる。さらに、ハウジング１２に対しカード２８が収納または取り出された後には、付勢力により各回動蓋３２が回動されて、各回動蓋３２が収納口２４を自動で閉鎖する。このため、ハウジング１２に対するカード２８の収納操作性及び取出操作性を簡単な構成で向上させることができる。【選択図】　　　図１
2004009861.tif 000002
【特許請求の範囲】
【請求項１】
車室内に設けられ、ミラーの裏面側を被覆するハウジングと、
前記ハウジングに設けられ、前記ハウジングに対するカード材の収納及び取り出しを可能とする収納口と、
前記ハウジングに前記収納口を閉鎖して設けられ、前記収納口を開放する方向へ移動可能とされると共に、前記収納口を閉鎖する方向への弾性力を付与された蓋部材と、
を備えた車両用インナミラー装置。
【請求項２】
前記蓋部材は、回動されることで前記収納口を開放可能とされた、ことを特徴とする請求項１記載の車両用インナミラー装置。
【請求項３】
前記蓋部材は、前記カード材収納方向へスライドされることで前記収納口を開放可能とされた、ことを特徴とする請求項１記載の車両用インナミラー装置。
【請求項４】
前記ハウジングは、前記カード材全体を収納可能とされた、ことを特徴とする請求項１乃至請求項３の何れか１項記載の車両用インナミラー装置。
【発明の詳細な説明】
【０００１】
【発明の属する技術分野】
本発明は、ハウジングに対するカード材の収納及び取り出しが可能とされた車両用インナミラー装置に関する。
【０００２】
【従来の技術】
現在、車両には、所謂ＥＴＣ（有料道路の自動料金収受システム）を搭載したものが開発されつつあり、車両用インナミラー装置にＥＴＣ用のカードを収納可能とされたものがある。
【０００３】
このような車両用インナミラー装置は、例えばハウジングを備えており、ハウジングは、車両後方視認用のミラーを保持すると共に、ミラーの裏面側を被覆している。ハウジングの側壁には、収納口が形成されており、ハウジングに対し収納口からカードを収納及び取り出し可能とされている。
【０００４】
ハウジングの側壁には、収納口に対応して開閉蓋が設けられており、開閉蓋は収納口を閉鎖及び開放可能とされている。ここで、開閉蓋が収納口を開放させることで、ハウジングに対し収納口からカードを収納及び取り出すことができる。一方、開閉蓋が収納口を閉鎖することで、ハウジングにカードが収納されていてもカードがハウジング外から見えなくなって、セキュリティ性を高める（カードの盗難を防止する）ことができると共に、ハウジングひいては車両用インナミラー装置のデザイン性を高めることができる構成である。
【０００５】
しかしながら、このような車両用インナミラー装置では、開閉蓋を手で開閉操作する必要がある。このため、ハウジングに対しカードを収納または取り出す前には、開閉蓋を手で操作して収納口を開放させる必要があるのみならず、ハウジングに対しカードを収納または取り出した後には、開閉蓋を手で操作して収納口を閉鎖させる必要がある。このため、ハウジングに対するカードの収納操作性及び取出操作性が悪いという問題がある。
【０００６】
【発明が解決しようとする課題】
本発明は上記事実を考慮し、ハウジングに対するカード材の収納操作性及び取出操作性を簡単な構成で向上させることができる車両用インナミラー装置を得ることが目的である。
【０００７】
【課題を解決するための手段】
請求項１に記載の車両用インナミラー装置は、車室内に設けられ、ミラーの裏面側を被覆するハウジングと、前記ハウジングに設けられ、前記ハウジングに対するカード材の収納及び取り出しを可能とする収納口と、前記ハウジングに前記収納口を閉鎖して設けられ、前記収納口を開放する方向へ移動可能とされると共に、前記収納口を閉鎖する方向への弾性力を付与された蓋部材と、を備えている。
【０００８】
請求項１に記載の車両用インナミラー装置では、車室内に設けられると共にミラーの裏面側を被覆するハウジングに対し、収納口からカード材を収納及び取り出し可能とされている。
【０００９】
ここで、ハウジングに設けられた蓋部材が収納口を閉鎖しており、蓋部材は収納口を開放する方向へ移動可能とされると共に、蓋部材には収納口を閉鎖する方向への弾性力が付与されている。このため、弾性力に抗して蓋部材を移動させて収納口を開放させることで、ハウジングに対し収納口からカード材を収納及び取り出し可能となる。さらに、ハウジングに対しカード材が収納または取り出された後には、弾性力により蓋部材が移動されて、蓋部材が収納口を自動で閉鎖する。
【００１０】
これにより、蓋部材を移動させて収納口を開放させる操作に伴いハウジングに対しカード材を収納及び取り出し可能であるのみならず、ハウジングに対しカード材が収納または取り出された後には蓋部材を操作して収納口を閉鎖させる必要がない。このため、ハウジングに対するカード材の収納操作性及び取出操作性を簡単な構成で向上させることができる。
【００１１】
請求項２に記載の車両用インナミラー装置は、請求項１に記載の車両用インナミラー装置において、前記蓋部材は、回動されることで前記収納口を開放可能とされた、ことを特徴としている。
【００１２】
請求項２に記載の車両用インナミラー装置では、蓋部材が回動されることで収納口が開放可能とされているため、ハウジングにカード材を収納する際に回動された蓋部材がカード材を収納口へ案内可能であると共に、ハウジングからカード材を取り出す際に回動された蓋部材が手指をカード材へ案内可能である。このため、収納口を見なくてもハウジングに対しカード材を収納及び取り出し可能であり、これにより、ハウジングに対するカード材の収納操作性及び取出操作性を一層向上させることができる。
【００１３】
請求項３に記載の車両用インナミラー装置は、請求項１に記載の車両用インナミラー装置において、前記蓋部材は、前記カード材収納方向へスライドされることで前記収納口を開放可能とされた、ことを特徴としている。
【００１４】
請求項３に記載の車両用インナミラー装置では、蓋部材がカード材収納方向へスライドされることで収納口が開放可能とされているため、蓋部材ひいては車両用インナミラー装置を小さくすることができる。
【００１５】
請求項４に記載の車両用インナミラー装置は、請求項１乃至請求項３の何れか１項に記載の車両用インナミラー装置において、前記ハウジングは、前記カード材全体を収納可能とされた、ことを特徴としている。
【００１６】
請求項４に記載の車両用インナミラー装置では、ハウジングがカード材全体を収納可能とされているため、蓋部材が収納口を閉鎖することで、ハウジングにカード材が収納されていてもカード材がハウジング外から見えない。これにより、セキュリティ性を高める（カード材の盗難を防止する）ことができると共に、ハウジングひいては車両用インナミラー装置のデザイン性を高めることができる。
【００１７】
【発明の実施の形態】
［第１の実施の形態］
図１（Ａ）には、本発明の第１の実施の形態に係る車両用インナミラー装置１０が側面図にて示されており、図１（Ｂ）には、車両用インナミラー装置１０の主要部が断面図にて示されている。さらに、図２には、車両用インナミラー装置１０が正面図にて示されている。
【００１８】
本実施の形態に係る車両用インナミラー装置１０は、所謂ＥＴＣ（有料道路の自動料金収受システム）が搭載された車両に装備されている。
【００１９】
車両用インナミラー装置１０は、ハウジング１２を備えている。ハウジング１２は、車室内の天井１４に支持されると共に、略長方体箱状とされて車両後側面が部分的に開口されている。ハウジング１２は、前記開口部分において車両後方視認用のミラー１６を保持しており、ミラー１６の裏面側はハウジング１２に被覆されている。
【００２０】
ハウジング１２内の車両右側部位には、カードリーダー１８が設けられており、カードリーダー１８はハウジング１２の車両前側壁と一体にされている。カードリーダー１８には薄肉長方体状の挿入孔２０が設けられており、挿入孔２０は車両右方へ開口されている。カードリーダー１８には一対の案内板２２が互いに対向して設けられており、一対の案内板２２間の間隙は挿入孔２０の開口に連通されると共に、各案内板２２は車両右方へ延伸されている。各案内板２２の車両右側端部は互いに離間する方向へ傾斜されており、これにより、一対の案内板２２間の間隙は、車両右側端部において車両右方へ向かうに従い徐々に大きくされている。
【００２１】
ハウジング１２の車両右側壁には、収納口２４が形成されている。収納口２４は収納孔２６を有しており、収納孔２６は、細長長方形状とされて、上下方向長さが長方形状とされたカード材としてのＥＴＣ用のカード２８の短辺より僅かに長くされると共に、一対の案内板２２間の間隙及び挿入孔２０に対向されている。さらに、収納口２４は長方形状の回動孔３０を一対有しており、一対の回動孔３０は収納孔２６を挟んで互いに対向すると共に、各回動孔３０は少なくとも手指（親指、人差指または中指）を挿入可能な大きさとされている。
【００２２】
各回動孔３０には、蓋部材としての長方形板状の回動蓋３２が設けられている。各回動蓋３２は、各回動孔３０の反収納孔２６側端に回動可能に支持されており、各回動蓋３２の回動軸には捩りコイルスプリング（図示省略）が設けられて、この捩りコイルスプリングが各回動蓋３２とハウジング１２との間に架け渡されている。これにより、各回動蓋３２に各回動孔３０を閉塞する方向（収納口２４を閉鎖する方向）への付勢力（弾性力）が付与されることで、各回動蓋３２が各回動孔３０全体を閉塞して収納口２４を閉鎖している。また、各回動蓋３２は、付勢力に抗して各案内板２２の車両右側端部に当接するまで回動可能とされており、これにより、各回動蓋３２が各回動孔３０を開放して収納口２４を開放可能とされている。
【００２３】
各回動蓋３２の収納孔２６側端表面には、傾斜面３４が形成されており、各傾斜面３４は、収納孔２６側へ向かうに従い徐々に各回動蓋３２の裏面側へ向かう方向へ傾斜されている。
【００２４】
ここで、カード２８を手指で狭持し、必要に応じてカード２８で回動蓋３２を付勢力に抗して押圧回動させてカード２８が回動蓋３２及び回動蓋３２の傾斜面３４に案内されることで、カード２８を収納孔２６から一対の案内板２２間を経て挿入孔２０に挿入できる。さらに、カード２８を狭持した手指で各回動蓋３２を付勢力に抗して押圧回動させて各回動孔３０（収納口２４）を開放させることで、カード２８全体をハウジング１２に収納して、カード２８を挿入孔２０に完全に挿入できる。これにより、カードリーダー１８によってカード２８に記録された情報が読み取られる。また、カード２８を挿入孔２０に完全に挿入した後にカード２８を放した手指を収納口２４から出して各回動蓋３２の押圧を解除することで、各回動蓋３２が付勢力により回動されて、各回動孔３０全体が閉塞される（収納口２４が閉鎖される）。
【００２５】
一方、手指で各回動蓋３２を付勢力に抗して押圧回動させて各回動孔３０（収納口２４）を開放させることで、手指が回動された各回動蓋３２に案内されてハウジング１２内のカード２８を狭持することができ、これにより、収納口２４（収納孔２６）を介してハウジング１２（挿入孔２０内及び一対の案内板２２間）からカード２８を取り出すことができる。この際、カード２８を狭持した手指を収納口２４から出して各回動蓋３２の押圧を解除することで、各回動蓋３２が付勢力により回動されて、各回動孔３０全体が閉塞される（収納口２４が閉鎖される）。
【００２６】
ハウジング１２の車両後側面には、ミラー１６の上方において、表示部３６が設けられており、表示部３６には、カードリーダー１８によって読み取られたカード２８に記録された情報、有料道路の料金、ハウジング１２へのカード２８の収納の有無または時刻等が表示される構成である。
【００２７】
次に、本実施の形態の作用を説明する。
【００２８】
以上の構成の車両用インナミラー装置１０では、ハウジング１２に対し収納口２４（収納孔２６）からカード２８を収納及び取り出し可能とされている。
【００２９】
ここで、ハウジング１２に設けられた各回動蓋３２が収納口２４（各回動孔３０）を閉鎖しており、各回動蓋３２は収納口２４（各回動孔３０）を開放する方向（ハウジング１２内へ向かう方向）へ回動可能とされると共に、各回動蓋３２には捩りコイルスプリングによって収納口２４（各回動孔３０）を閉鎖する方向への付勢力が付与されている。このため、付勢力に抗して各回動蓋３２を回動させて収納口２４（各回動孔３０）を開放させることで、ハウジング１２内への手指の挿入が可能となって、ハウジング１２に対し収納口２４からカード２８を収納及び取り出し可能となる。さらに、ハウジング１２に対しカード２８が収納または取り出された後には、付勢力により各回動蓋３２が回動されて、各回動蓋３２が収納口２４（各回動孔３０）を自動で閉鎖する。
【００３０】
これにより、各回動蓋３２を回動させて収納口２４を開放させる操作に伴いハウジング１２に対しカード２８を収納及び取り出し可能であるのみならず、ハウジング１２に対しカード２８が収納または取り出された後には各回動蓋３２を操作して収納口２４を閉鎖させる必要がない。このため、ハウジング１２に対するカード２８の収納操作性及び取出操作性を簡単な構成で向上させることができる。
【００３１】
さらに、各回動蓋３２が回動されることで収納口２４が開放可能とされているため、ハウジング１２にカード２８を収納する際に回動された回動蓋３２がカード２８を収納口２４の収納孔２６へ案内可能であると共に、ハウジング１２からカード２８を取り出す際に回動された各回動蓋３２が手指をカード２８へ案内可能である。このため、収納口２４を見なくてもハウジング１２に対しカード２８を収納及び取り出し可能であり、これにより、ハウジング１２に対するカード２８の収納操作性及び取出操作性を一層向上させることができる。
【００３２】
また、ハウジング１２がカード２８全体を収納可能とされているため、各回動蓋３２が収納口２４（各回動孔３０）を閉鎖することで、ハウジング１２にカード２８が収納されていてもカード２８がハウジング１２外から見えない。これにより、セキュリティ性を高める（カード２８の盗難を防止する）ことができると共に、ハウジング１２ひいては車両用インナミラー装置１０のデザイン性を高めることができる。
【００３３】
なお、本実施の形態では、各回動蓋３２が収納口２４の各回動孔３０のみを閉塞する構成としたが、回動蓋（蓋部材）が収納口の回動孔のみならず収納孔をも閉塞（閉鎖）する構成としていもよい。
【００３４】
［第２の実施の形態］
図３（Ａ）には、本発明の第２の実施の形態に係る車両用インナミラー装置５０が側面図にて示されており、図３（Ｂ）には、車両用インナミラー装置５０の主要部が断面図にて示されている。
【００３５】
本実施の形態に係る車両用インナミラー装置５０は、上記第１の実施の形態に係る車両用インナミラー装置１０と基本的には同じ構成であるが、以下の点で異なる。
【００３６】
ハウジング１２内のカードリーダー１８には案内板５２が設けられており、案内板５２は、車両前側面が挿入孔２０の車両後側面と面一にされた状態で車両右方へ延伸されている。さらに、案内板５２の車両右側端部は車両後方へ傾斜されている。
【００３７】
ハウジング１２の車両前側壁には、車両右側端において凹部５４が形成されており、凹部５４は、車両右方へ開放されると共に、上下方向長さが少なくとも手指（親指、人差指または中指）を挿入可能な長さとされている。
【００３８】
ハウジング１２の車両前側壁には、凹部５４の車両左方におけるハウジング１２内において断面Ｌ字板状の案内壁５６が一体に設けられており、案内壁５６とハウジング１２との間の間隙は車両右方へ開放されている。
【００３９】
ハウジング１２の車両右側壁には、収納口５８が形成されている。収納口５８は収納孔６０を有しており、収納孔６０は、細長長方形状とされて、上下方向長さがカード２８の短辺より僅かに長くされると共に、挿入孔２０に対向されている。さらに、収納口５８は長方形状の回動孔６２及びスライド孔６４を有しており、回動孔６２及びスライド孔６４は、収納孔６０を挟んで互いに対向している。また、回動孔６２は、少なくとも手指（親指、人差指または中指）を挿入可能な大きさとされている。
【００４０】
回動孔６２には、蓋部材としての略長方形板状の回動蓋６６が設けられている。回動蓋６６は、回動孔６２の反収納孔６０側端に回動可能に支持されており、回動蓋６６の回動軸には捩りコイルスプリング（図示省略）が設けられて、この捩りコイルスプリングが回動蓋６６とハウジング１２との間に架け渡されている。これにより、回動蓋６６に回動孔６２を閉塞する方向（収納口５８を閉鎖する方向）への付勢力（弾性力）が付与されることで、回動蓋６６が回動孔６２全体を閉塞して収納口５８を閉鎖している。また、回動蓋６６は、付勢力に抗して案内板５２の車両右側端部に当接するまで回動可能とされており、これにより、回動蓋６６が回動孔６２を開放して収納口５８を開放可能とされている。
【００４１】
スライド孔６４には、蓋部材としての略長方体箱状のスライド蓋６８が設けられている。スライド蓋６８の車両左側面は開放されており、スライド蓋６８の車両前側壁が案内壁５６とハウジング１２との間に嵌入されることで、スライド蓋６８がスライド可能とされている。スライド蓋６８の車両前側壁と案内壁５６の車両左側壁との間にはコイルスプリング７０が架け渡されており、コイルスプリング７０によってスライド蓋６８にスライド孔６４を閉塞する方向（収納口５８を閉鎖する方向）への付勢力（弾性力）が付与されることで、スライド蓋６８がスライド孔６４全体を閉塞して収納口５８を閉鎖している。また、スライド蓋６８は、付勢力に抗して少なくとも車両右側面が凹部５４の車両左側面に平行になるまでスライド可能とされており、これにより、スライド蓋６８がスライド孔６４を開放して収納口５８を開放可能とされている。
【００４２】
回動蓋６６及びスライド蓋６８の収納孔６０側端表面には、傾斜面７２が形成されており、各傾斜面７２は、収納孔６０側へ向かうに従い徐々に回動蓋６６またはスライド蓋６８の裏面側へ向かう方向へ傾斜されている。
【００４３】
ここで、カード２８を手指で狭持し、必要に応じて、カード２８で回動蓋６６を付勢力に抗して押圧回動させてカード２８が回動蓋６６、回動蓋６６の傾斜面７２及びスライド蓋６８の車両後側面に案内され、または、カード２８がスライド蓋６８の傾斜面７２に案内されることで、カード２８を収納孔６０から案内板５２とスライド蓋６８との間を経て挿入孔２０に挿入できる。さらに、カード２８を狭持した手指で回動蓋６６を付勢力に抗して押圧回動させると共にスライド蓋６８を付勢力に抗して押圧スライドさせて回動孔６２及びスライド孔６４（収納口５８）を開放させることで、カード２８全体をハウジング１２に収納して、カード２８を挿入孔２０に完全に挿入できる。また、カード２８を挿入孔２０に完全に挿入した後にカード２８を放した手指を収納口５８から出して回動蓋６６及びスライド蓋６８の押圧を解除することで、回動蓋６６が付勢力により回動されると共にスライド蓋６８が付勢力によりスライドされて、回動孔６２全体及びスライド孔６４全体が閉塞される（収納口５８が閉鎖される）。
【００４４】
一方、手指で回動蓋６６を付勢力に抗して押圧回動させると共にスライド蓋６８を付勢力に抗して押圧スライドさせて回動孔６２及びスライド孔６４（収納口５８）を開放させることで、手指が回動された回動蓋６６に案内されてハウジング１２内のカード２８を狭持することができ、これにより、収納口５８（収納孔６０）を介してハウジング１２（挿入孔２０内及び案内板５２とスライド蓋６８との間）からカード２８を取り出すことができる。この際、カード２８を狭持した手指を収納口５８から出して回動蓋６６及びスライド蓋６８の押圧を解除することで、回動蓋６６が付勢力により回動されると共にスライド蓋６８が付勢力によりスライドされて、回動孔６２全体及びスライド孔６４全体が閉塞される（収納口５８が閉鎖される）構成である。
【００４５】
次に、本実施の形態の作用を説明する。
【００４６】
以上の構成の車両用インナミラー装置５０では、ハウジング１２に対し収納口５８（収納孔６０）からカード２８を収納及び取り出し可能とされている。
【００４７】
ここで、ハウジング１２に設けられた回動蓋６６及びスライド蓋６８が収納口５８（回動孔６２及びスライド孔６４）を閉鎖している。また、回動蓋６６は収納口５８（回動孔６２）を開放する方向（ハウジング１２内へ向かう方向）へ回動可能とされると共に、回動蓋６６には捩りコイルスプリングによって収納口５８（回動孔６２）を閉鎖する方向への付勢力が付与されている。さらに、スライド蓋６８は収納口５８（スライド孔６４）を開放する方向（ハウジング１２内へ向かう方向）へスライド可能とされると共に、スライド蓋６８にはコイルスプリング７０によって収納口５８（スライド孔６４）を閉鎖する方向への付勢力が付与されている。このため、付勢力に抗して回動蓋６６を回動させると共に付勢力に抗してスライド蓋６８をスライドさせて収納口５８（回動孔６２及びスライド孔６４）を開放させることで、ハウジング１２内への手指の挿入が可能となって、ハウジング１２に対し収納口５８からカード２８を収納及び取り出し可能となる。さらに、ハウジング１２に対しカード２８が収納または取り出された後には、付勢力により回動蓋６６が回動されると共に付勢力によりスライド蓋６８がスライドされて、回動蓋６６及びスライド蓋６８が収納口５８（回動孔６２及びスライド孔６４）を自動で閉鎖する。
【００４８】
これにより、回動蓋６６を回動させると共にスライド蓋６８をスライドさせて収納口５８を開放させる操作に伴いハウジング１２に対しカード２８を収納及び取り出し可能であるのみならず、ハウジング１２に対しカード２８が収納または取り出された後には回動蓋６６及びスライド蓋６８を操作して収納口５８を閉鎖させる必要がない。このため、ハウジング１２に対するカード２８の収納操作性及び取出操作性を簡単な構成で向上させることができる。
【００４９】
さらに、回動蓋６６が回動されることで収納口５８（回動孔６２）が開放可能とされているため、ハウジング１２にカード２８を収納する際に回動された回動蓋６６がカード２８を収納口５８の収納孔６０へ案内可能であると共に、ハウジング１２からカード２８を取り出す際に回動された回動蓋６６が手指をカード２８へ案内可能である。このため、収納口５８を見なくてもハウジング１２に対しカード２８を収納及び取り出し可能であり、これにより、ハウジング１２に対するカード２８の収納操作性及び取出操作性を一層向上させることができる。
【００５０】
また、スライド蓋６８が車両左方（カード２８収納方向）へスライドされることで収納口５８（スライド孔６４）が開放可能とされているため、スライド蓋６８ひいては車両用インナミラー装置５０の車両前後方向における幅を小さくすることができる。
【００５１】
さらに、ハウジング１２がカード２８全体を収納可能とされているため、回動蓋６６及びスライド蓋６８が収納口５８（回動孔６２及びスライド孔６４）を閉鎖することで、カード２８がハウジング１２に収納されていてもカード２８がハウジング１２外から見えない。これにより、セキュリティ性を高める（カード２８の盗難を防止する）ことができると共に、ハウジング１２ひいては車両用インナミラー装置５０のデザイン性を高めることができる。
【００５２】
なお、本実施の形態では、回動蓋６６が収納口５８の回動孔６２のみを閉塞する構成としたが、回動蓋（蓋部材）が収納口の回動孔のみならず収納孔をも閉塞（閉鎖）する構成としていもよい。
【００５３】
［第３の実施の形態］
図４（Ａ）には、本発明の第３の実施の形態に係る車両用インナミラー装置８０が側面図にて示されており、図４（Ｂ）には、車両用インナミラー装置８０の主要部が断面図にて示されている。
【００５４】
本実施の形態に係る車両用インナミラー装置８０は、上記第１の実施の形態に係る車両用インナミラー装置１０と基本的には同じ構成であるが、以下の点で異なる。
【００５５】
ハウジング１２内のカードリーダー１８には案内板８２が設けられており、案内板８２は、車両前側面が挿入孔２０の車両後側面と面一にされた状態で車両右方へ延伸されている。
【００５６】
ハウジング１２内の車両右側部位には、一対の案内凹部８４が設けられており、各案内凹部８４は車両右方へ開放されている。
【００５７】
ハウジング１２の車両右側壁には、四角形状の収納口８６が形成されており、収納口８６は、車両左右方向長さが少なくとも２本の手指（親指、人差指または中指）を挿入可能な長さとされると共に、上下方向長さがカード２８の短辺よりも長くされている。
【００５８】
収納口８６には、蓋部材としてのスライド蓋８８が設けられている。スライド蓋８８は略断面Ｕ字板状とされて車両左方へ開放されており、スライド蓋８８の車両前側壁及び車両後側壁がそれぞれ各案内凹部８４内に嵌入されることで、スライド蓋８８がスライド可能とされている。スライド蓋８８の車両前側壁及び車両後側壁には、それぞれ車両右側端近傍において係止突起９０が設けられており、各係止突起９０はスライド蓋８８から外側へ突出している。スライド蓋８８の車両前側壁及び車両後側壁と各案内凹部８４の車両左側壁との間にはそれぞれ圧縮コイルスプリング９２が架け渡されており、圧縮コイルスプリング９２によってスライド蓋８８に収納口８６を閉塞（閉鎖）する方向への付勢力（弾性力）が付与されることで、各係止突起９０がハウジング１２の収納口８６周縁に係止されて、スライド蓋８８が収納口８６全体を略閉塞（閉鎖）している。また、スライド蓋８８は、付勢力に抗して各係止突起９０が各案内凹部８４に当接するまでスライド可能とされており、これにより、スライド蓋８８が収納口８６を開放可能とされている。
【００５９】
スライド蓋８８の車両右側壁中央には、収納孔９４が形成されており、収納孔９４は、細長長方形状とされて、上下方向長さがカード２８の短辺より僅かに長くされると共に、カードリーダー１８の挿入孔２０に対向されている。さらに、スライド蓋８８の車両右側壁表面には、収納孔９４の車両前後方向両側において傾斜面９６が形成されており、各傾斜面９６は、収納孔９４側へ向かうに従い徐々にスライド蓋８８の裏面側へ向かう方向へ傾斜されている。
【００６０】
スライド蓋８８の車両右側壁中央には一対の挿入凹部９８が形成されており、一対の挿入凹部９８は収納孔９４を挟んで互いに対向している。各挿入凹部９８は球壁状とされて収納孔９４側ほど深く凹んでおり、各挿入凹部９８には、手指（親指、人差指または中指）を挿入可能とされている。
【００６１】
ここで、カード２８を手指で狭持し、必要に応じてカード２８がスライド蓋８８の傾斜面９６または挿入凹部９８に案内されることで、カード２８を収納孔９４から案内板８２に案内させて挿入孔２０に挿入できる。さらに、カード２８を狭持した手指（特に各挿入凹部９８に挿入された手指）でスライド蓋８８を付勢力に抗して押圧スライドさせて収納口８６を開放させることで、カード２８全体をハウジング１２に収納して、カード２８を挿入孔２０に完全に挿入できる。また、カード２８を挿入孔２０に完全に挿入した後にカード２８を放した手指を収納口８６から出してスライド蓋８８の押圧を解除することで、スライド蓋８８が付勢力によりスライドされて、収納口８６全体が略閉塞（閉鎖）される。
【００６２】
一方、手指（特に各挿入凹部９８に挿入された手指）でスライド蓋８８を付勢力に抗して押圧スライドさせて収納口８６を開放させることで、手指が収納孔９４から突出されたハウジング１２内のカード２８を狭持することができ、これにより、収納口８６（収納孔９４）を介してハウジング１２（挿入孔２０内及び案内板８２側方）からカード２８を取り出すことができる。この際、カード２８を狭持した手指を収納口８６から出してスライド蓋８８の押圧を解除することで、スライド蓋８８が付勢力によりスライドされて、収納口８６全体が略閉塞（閉鎖）される構成である。
【００６３】
次に、本実施の形態の作用を説明する。
【００６４】
以上の構成の車両用インナミラー装置８０では、ハウジング１２に対し収納口８６（収納孔９４）からカード２８を収納及び取り出し可能とされている。
【００６５】
ここで、ハウジング１２に設けられたスライド蓋８８が収納口８６を閉鎖しており、スライド蓋８８は収納口８６を開放する方向（ハウジング１２内へ向かう方向）へスライド可能とされると共に、スライド蓋８８には圧縮コイルスプリング９２によって収納口８６を閉鎖する方向への付勢力が付与されている。このため、付勢力に抗してスライド蓋８８をスライドさせて収納口８６を開放させることで、ハウジング１２内への手指の挿入が可能となって、ハウジング１２に対し収納口８６（収納孔９４）からカード２８を収納及び取り出し可能となる。さらに、ハウジング１２に対しカード２８が収納または取り出された後には、付勢力によりスライド蓋８８がスライドされて、スライド蓋８８が収納口８６を自動で閉鎖する。
【００６６】
これにより、スライド蓋８８をスライドさせて収納口８６を開放させる操作に伴いハウジング１２に対しカード２８を収納及び取り出し可能であるのみならず、ハウジング１２に対しカード２８が収納または取り出された後にはスライド蓋８８を操作して収納口８６を閉鎖させる必要がない。このため、ハウジング１２に対するカード２８の収納操作性及び取出操作性を簡単な構成で向上させることができる。
【００６７】
さらに、ハウジング１２にカード２８を収納する際にスライド蓋８８の傾斜面９６または挿入凹部９８がカード２８を収納口８６の収納孔９４へ案内可能であると共に、ハウジング１２からカード２８を取り出す際にスライドされたスライド蓋８８の収納孔９４からカード２８が突出する。このため、収納口８６を見なくてもハウジング１２に対しカード２８を収納及び取り出し可能であり、これにより、ハウジング１２に対するカード２８の収納操作性及び取出操作性を更に向上させることができる。
【００６８】
また、スライド蓋８８が車両左方（カード２８収納方向）へスライドされることで収納口８６が開放可能とされているため、スライド蓋８８ひいては車両用インナミラー装置８０の車両前後方向における幅を小さくすることができる。
【００６９】
さらに、ハウジング１２がカード２８全体を収納可能とされているため、スライド蓋８８が収納口８６を閉鎖することで、ハウジング１２にカード２８が収納されていてもカード２８がハウジング１２外から見えない。これにより、セキュリティ性を高める（カード２８の盗難を防止する）ことができると共に、ハウジング１２ひいては車両用インナミラー装置８０のデザイン性を高めることができる。
【００７０】
なお、上記第１の実施の形態乃至第３の実施の形態では、カード２８をＥＴＣ用のものとした構成としたが、カード（カード材）は、何れの種類のものであってもよく、例えばカードを種々の料金自動支払い用のカード（ガソリンスタンド用、駐車場用またはファーストフード店用のプリペードカード等）とした構成としてもよい。
【００７１】
【発明の効果】
請求項１に記載の車両用インナミラー装置では、蓋部材を弾性力に抗して移動させて収納口を開放させる操作に伴いハウジングに対しカード材を収納及び取り出し可能であるのみならず、ハウジングに対しカード材が収納または取り出された後には蓋部材が弾性力により移動されて収納口が自動で閉鎖されるため、ハウジングに対するカード材の収納操作性及び取出操作性を簡単な構成で向上させることができる。
【００７２】
請求項２に記載の車両用インナミラー装置では、回動された蓋部材がカード材を収納口へまたは手指をカード材へ案内可能であるため、ハウジングに対するカード材の収納操作性及び取出操作性を一層向上させることができる。
【００７３】
請求項３に記載の車両用インナミラー装置では、蓋部材がカード材収納方向へスライドされることで収納口が開放可能とされているため、蓋部材ひいては車両用インナミラー装置を小さくすることができる。
【００７４】
請求項４に記載の車両用インナミラー装置では、ハウジングがカード材全体を収納可能とされているため、蓋部材が収納口を閉鎖することで、セキュリティ性を高めることができると共に、ハウジングひいては車両用インナミラー装置のデザイン性を高めることができる。
【図面の簡単な説明】
【図１】（Ａ）及び（Ｂ）は、本発明の第１の実施の形態に係る車両用インナミラー装置を示す図であり、（Ａ）は、この車両用インナミラー装置を示す車両右側からの側面図であり、（Ｂ）は、この車両用インナミラー装置の主要部を示す断面図である。
【図２】本発明の第１の実施の形態に係る車両用インナミラー装置を示す車両後方からの正面図である。
【図３】（Ａ）及び（Ｂ）は、本発明の第２の実施の形態に係る車両用インナミラー装置を示す図であり、（Ａ）は、この車両用インナミラー装置を示す車両右側からの側面図であり、（Ｂ）は、この車両用インナミラー装置の主要部を示す断面図である。
【図４】（Ａ）及び（Ｂ）は、本発明の第３の実施の形態に係る車両用インナミラー装置を示す図であり、（Ａ）は、この車両用インナミラー装置を示す車両右側からの側面図であり、（Ｂ）は、この車両用インナミラー装置の主要部を示す断面図である。
【符号の説明】
１０　　　　車両用インナミラー装置
１２　　　　ハウジング
２４　　　　収納口
２８　　　　カード（カード材）
３２　　　　回動蓋（蓋部材）
５０　　　　車両用インナミラー装置
５８　　　　収納口
６６　　　　回動蓋（蓋部材）
６８　　　　スライド蓋（蓋部材）
８０　　　　車両用インナミラー装置
８６　　　　収納口
８８　　　　スライド蓋（蓋部材）
【図１】
2004009861.tif 000003
【図２】
2004009861.tif 000004
【図３】
2004009861.tif 000005
【図４】
2004009861.tif 000006